(57)【要約】【課題】物品収納容器本体を二個（２パーツ）一対の蓋部にて封鎖するための手間を軽減し、それぞれ一対の蓋部を開放した時のそれぞれ蓋部の直近の置き場を必要とせず、開放した各々蓋部の施蓋位置を間違えることがなく、物品収納容器本体と蓋体の成形加工パーツ数を減少させ、容器成形加工や加工工程管理、及び物品収納後のキャッピング作業を簡略化、及び円滑化することにある。【解決手段】左右両側に一対の組合せ物品を収納可能な第１の収納部ＡL と第２の収納部ＡR とが一体的に連結された物品収納容器本体Ａと、前記第１の収納部ＡL を封鎖する第１の蓋部ＢL と前記第２の収納部ＡR を封鎖する第２の蓋部ＢR とが連結ヒンジ板２１を介して一体的に連結された蓋体Ｂとからなる。【選択図】図４
2010023850.tif 000002
【特許請求の範囲】
【請求項１】
左右両側に所定間隔を置いて第１の収納部と第２の収納部とが、連結フランジ部に支持されて一体的に連結され、第１、第２の収納部の中間には蓋体係合部が設けられた物品収納容器本体Ａと、左右両側に所定間隔を置いて前記第１の収納部を封鎖する第１の蓋部と前記第２の収納部を封鎖する第２の蓋部とが、連結ヒンジ板に支持されて一体的に連結され、前記連結ヒンジ板の下面中間部に前記蓋体係合部に係合する係合部が設けられた蓋体Ｂとからなり、収納容器本体Ａの蓋体係合部に蓋体Ｂの係合部を係合して接続固定される前記蓋体Ｂの第１、第２の蓋部は前記連結ヒンジ板のヒンジ部を介して開閉でき、前記収納容器本体Ａの第１、第２の収納部のそれぞれ開口部を施蓋できるようにしたことを特徴とする物品収納容器。
【請求項２】
前記物品収納容器本体Ａの第１の収納部と第２の収納部のそれぞれ底部の内底面には、複数本のリブが立設されていることを特徴とする請求項１記載の物品収納容器。
【請求項３】
前記物品収納容器本体Ａの第１、第２の収納部のそれぞれ開口部には開口壁部が設けられ、その上端外周に沿って、施蓋用のそれぞれ突起状係合部が設けられ、前記蓋体Ｂの第１、第２の蓋部の下端内周に沿って、それぞれ前記係合部の下側に係合する施蓋用のそれぞれ係合部が設けられ、前記容器本体Ａの開口部は外側嵌合により蓋体Ｂにて施蓋されることを特徴とする請求項１又は２記載の物品収納容器。
【請求項４】
前記蓋体Ｂの第１、第２の蓋部には、前記物品収納容器本体Ａの第１、第２の収納部のそれぞれ開口部の内周面に蜜に嵌合するインナーリング部が設けられ、前記容器本体Ａの開口部は内側嵌合により蓋体Ｂにて施蓋されることを特徴とする請求項１又は２記載の物品収納容器。
【請求項５】
前記物品収納容器本体Ａの第１の収納部と第２の収納部とを連結支持する連結フランジ部の前記蓋体係合部を介して正対する位置に、蓋部位置決め用のフランジ切欠部が設けられ、前記蓋体Ｂの第１、第２の蓋部の下端には、前記フランジ切欠部に嵌合する施蓋位置決め板若しくは把手板が延設されていることを特徴とする請求項１乃至４のいずれか１項記載の物品収納容器。
【発明の詳細な説明】
【技術分野】
【０００１】
本発明は、コンタクトレンズなど一対の光学製品、あるいはイヤリングや眼鏡など一対の装飾製品など一対の組合せ物品を収納包装するための物品収納容器に関する。
【背景技術】
【０００２】
左右一対の組合せ物品、あるいは上下一対の組合せ物品を一体的に纏めて収納包装するための物品収納容器や、これらの収納容器に収納包装される包装対象品としては、各種の容器や包装対象品がある。
【０００３】
従来の一対の組合せ物品収納容器としては、一般的に、例えば図６（ａ）〜（ｃ）に示すような、左右一対のコンタクトレンズを収納包装するための容器がある。（ａ）はプラスチック成形方式にて成形加工された物品収納容器本体Ａの正面図であり、左右両側に所定間隔を置いて第１の収納部ＡL と第２の収納部ＡR とが、連結フランジ部１（共通フランジ部）に支持されて一体的に取付け配置されている。
【０００４】
第１の収納部ＡL と第２の収納部ＡR の連結フランジ部１上面には、筒状の開口壁部２L 、２R を備え、その外周面には、螺子部２La、２Raが螺設され、前記第１、第２の収納部ＡL 、ＡR の下部には底部３L 、３R を備え、その内部には凹状に内低面３La、３Raが形成されている。
【０００５】
第１、第２の収納部ＡL 、ＡR は、連結フランジ部１に上下方向に筒状に貫設した貫設部１L 、１R と、その貫設部１L 、１R の上側に各々貫設部１L 、１R に連続して設けた筒状開口壁部２L 、２R と、該貫設部１L 、１R の下側に連続して設けた底部３L 、３R とにより構成され、前記第１、第２の収納部ＡL 、ＡR は、開口部２Lb、２Rbと、貫設部１L 、１R と、底部３L 、３R の凹状の内低面３La、３Raとにより物品を収納するための収納空間部４L 、４R が形成されている。
【０００６】
図６（ｂ）は、物品収納容器Ａの第１、第２の収納部ＡL 、ＡR の各々開口壁部２L 、２R の螺設部２La、２Raに螺着する蓋体Ｂの側断面図であり、左右の蓋体Ｂは、天板部６と該天板部６の外周下部に沿って設けた筒状側面板７により構成され、筒状側面板７の内周面には、前記開口壁部２L 、２R の外周面のそれぞれ螺子部２La、２Raに螺着する各々螺設部７ａを備えている。
【０００７】
図６（ｃ）は、物品収納容器Ａの前記第１、第２の収納部ＡL 、ＡR の各々開口壁部２L 、２R に蓋体Ｂを回転させながら螺着して施蓋した状態を示す正面図であり、物品収納容器Ａは、蓋体Ｂ（ＢL 、ＢR ）により第１、第２の収納部ＡL 、ＡR の開口部２Lb、２Rbが封鎖される。
【０００８】
このような物品収納容器Ａにおいては第１、第２の収納部ＡL 、ＡR の開口部２Lb、２Rbを封鎖する蓋体Ｂは回転螺着方式であるため回転による開閉に手間が掛かり、開放した時には、左右のそれぞれ蓋部ＢL 、ＢR は、容器Ａの開口壁部２L 、２R から一旦外して離反するため、直近に外した蓋体Ｂの置き場が必要になり、また外した各々蓋部ＢL 、ＢR の第１、第２の収納部ＡL 、ＡR に対する左右の位置を閉め間違える場合がある。
【０００９】
また１パーツの物品収納容器Ａと、２パーツの左右蓋部ＢL 、ＢR の３パーツで構成されるため、物品収納容器Ａと蓋体Ｂの成形加工や加工の工程管理が煩雑になり易く、また収納容器Ａ内に物品を収納した後の左右の蓋体Ｂのキャッピング（施蓋）作業が煩雑にな
り易く、作業面や設備面においてコスト高になり易い。
【００１０】
以下に、本願に関連する先行技術文献を記載する。
【特許文献１】特開２０００−２８１１６２号公報
【発明の開示】
【発明が解決しようとする課題】
【００１１】
本発明の課題は、上記のような問題点を解消することにあり、物品収納容器本体を、二個（２パーツ）一対の蓋部にて封鎖するための手間を軽減し、それぞれ一対の蓋部を開放した時のそれぞれ蓋部の直近の置き場を必要とせず、開放した各々蓋部の施蓋位置を間違えることがなく、物品収納容器本体と蓋体の成形加工パーツ数を減少させ、容器成形加工や加工工程管理、及び物品収納後のキャッピング作業を簡略化、及び円滑化することにある。
【課題を解決するための手段】
【００１２】
本発明の請求項１に係る発明は、左右両側に所定間隔を置いて第１の収納部ＡL と第２の収納部ＡR とが、連結フランジ部１１（共通フランジ部）に支持されて一体的に連結され、第１、第２の収納部ＡL 、ＡR の中間には蓋体係合部１２が設けられた物品収納容器本体Ａと、左右両側に所定間隔を置いて前記第１の収納部ＡL を封鎖する第１の蓋部ＢL と前記第２の収納部ＡR を封鎖する第２の蓋部ＢR とが、連結ヒンジ板２１に支持されて一体的に連結され、前記連結ヒンジ板２１の下面中間部に前記蓋体係合部１２に係合する係合部２２が設けられた蓋体Ｂとからなり、収納容器本体Ａの蓋体係合部１２に蓋体Ｂの係合部２２を係合して接続固定される前記蓋体Ｂの第１、第２の蓋部ＢL 、ＢR は前記連結ヒンジ板２１のヒンジ部を介して開閉でき、前記収納容器本体Ａの第１、第２の収納部ＡL 、ＡR のそれぞれ開口部を施蓋できるようにしたことを特徴とする物品収納容器である。
【００１３】
本発明の請求項２に係る発明は、上記請求項１に係る物品収納容器において、前記物品収納容器本体Ａの第１の収納部ＡL と第２の収納部ＡR のそれぞれ底部１４L 、１４R の内底面１４La、１４Raには、複数本のリブ１７が立設されていることを特徴とする物品収納容器である。
【００１４】
本発明の請求項３に係る発明は、上記請求項１又は２に係る物品収納容器において、前記物品収納容器本体Ａの第１、第２の収納部ＡL 、ＡR のそれぞれ開口部には開口壁部１３L 、１３R が設けられ、その上端外周に沿って、施蓋用のそれぞれ突起状係合部１３La、１３Raが設けられ、前記蓋体Ｂの第１、第２の蓋部ＢL 、ＢR の下端内周に沿って、それぞれ前記係合部１３La、１３Raの下側に係合する施蓋用のそれぞれ係合部２４La、２４Raが設けられ、前記容器本体Ａの開口部は外側嵌合により蓋体Ｂにて施蓋されることを特徴とする物品収納容器である。
【００１５】
本発明の請求項４に係る発明は、上記請求項１乃至２に係る物品収納容器において、前記蓋体Ｂの第１、第２の蓋部ＢL 、ＢR には、前記物品収納容器本体Ａの第１、第２の収納部ＡL 、ＡR のそれぞれ開口部の内周面に蜜に嵌合するインナーリング部２６が設けられ、前記容器本体Ａの開口部は内側嵌合により蓋体Ｂにて施蓋されることを特徴とする物品収納容器である。
【００１６】
本発明の請求項５に係る発明は、上記請求項１乃至４のいずれか１項に係る物品収納容器において、前記物品収納容器本体Ａの第１の収納部ＡL と第２の収納部ＡR とを連結支持する連結フランジ部１１の前記蓋体係合部１２を介して正対する位置に、蓋部位置決め
用のフランジ切欠部１３Lc、１３Rcが設けられ、前記蓋体Ｂの第１、第２の蓋部ＢL 、ＢR の下端には、前記フランジ切欠部１３Lc、１３Rcに嵌合する施蓋位置決め板又は把手板２５、２５が延設されていることを特徴とする物品収納容器である。
【発明の効果】
【００１７】
本発明の物品収納容器は、左右両側に一対の組合せ物品を収納可能な第１の収納部ＡL と第２の収納部ＡR とが一体的に連結された物品収納容器本体Ａと、前記第１の収納部ＡL を封鎖する第１の蓋部ＢL と前記第２の収納部ＡR を封鎖する第２の蓋部ＢR とが連結ヒンジ板を介して一体的に連結された蓋体Ｂとからなるものである。
【００１８】
本発明の物品収納容器によれば、蓋体Ｂが、第１の収納部ＡL を封鎖する第１の蓋部ＢL と前記第２の収納部ＡR を封鎖する第２の蓋部ＢR とが連結ヒンジ板を介して一体的に連結されているため、従来のように、物品収納容器本体Ａを二個（２パーツ）一対の蓋部にてそれぞれ封鎖するという手間を軽減でき、それぞれ一対の蓋部を開放した時に、それぞれ蓋部はヒンジ部にて連結しているため蓋部の置き場を探したりする必要としない。
【００１９】
また、開放した後において、蓋部を散逸したり紛失したりすることがなく、また各々蓋部に対応する施蓋位置が、第１の収納部ＡL と第２の収納部ＡR のいずれであるか確認したり、間違えたりすることがない。
【００２０】
また、本発明の物品収納容器は、物品収納容器本体Ａと蓋体Ｂの２パーツにより構成されているため、従来よりも成形加工パーツ数を減少させることができ、容器成形加工や加工工程管理、及び物品収納後のキャッピング作業などを簡略化し、円滑化することが可能となる。
【発明を実施するための最良の形態】
【００２１】
本発明の物品収納容器を発明の実施の形態に基づいて、以下に詳細に説明すれば、図１（ａ）は、物品収納容器本体Ａの上面図、図１（ｂ）はその正面図、図１（ｃ）は右側面図であり、図２（ａ）は図１（ａ）のＸ−Ｘ正面側断面図、図２（ｂ）は図１（ｂ）のＸ1 −Ｘ1 側断面図、図２（ｃ）は図１（ｂ）のＹ−Ｙ側断面図、図２（ｄ）は図１（ｂ）のＹ1 −Ｙ1 側断面図である。
【００２２】
本発明の物品収納容器は、物品収納容器本体Ａと後述する蓋体Ｂからなり、物品収納容器本体Ａは、図１（ａ）、（ｂ）、及び図２（ａ）〜（ｄ）に示すように、左右両側に所定間隔を置いて第１の収納部ＡL と第２の収納部ＡR とが、連結フランジ部１１（共通フランジ部）に支持されて一体的に取付け配置されている。また前記第１の収納部ＡL と第２の収納部ＡR の中間の連結フランジ部１１の上面（表面）には、一個所又は二個所など数個所に、例えば差し込み係合方式（三次元係合方式）の孔設部（又は二次元（面）係合方式のメンブレンファスナー部）などの蓋体係合部１２が設けられている。
【００２３】
第１の収納部ＡL 、第２の収納部ＡR は、連結フランジ部１１の上面より突出するそれぞれリング状（円形筒状、楕円形筒状、四角形等の多角形状筒状）の開口壁部１３L 、１３R を備え、その上端外周面には、外側に張り出す係合突起部１３La、１３Raを備え、図１（ｃ）及び図２（ａ）〜（ｄ）に示すように、第１、第２の収納部ＡL 、ＡR の下部には、底部１４L 、１４R を備え、第１、第２の収納部ＡL 、ＡR の連結フランジ部１１の下部には、底部１４L 、１４R を備え、その内部には凹状に内低面１４La、１４Raが形成されている。
【００２４】
また図１（ａ）、（ｃ）に示すように、前記蓋体係合部１２を挟んで前記連結フランジ部１１にて連結されて対向する第１、第２の収納部ＡL 、ＡR の互いの外側の外周には、
前記連結フランジ部１１の欠除したフランジ切欠部１１Lc、１１Rcが設けられていてもよい。なお、前記連結フランジ部１１は、図示するように、略平坦なフランジ部上面部１１ａと、該フランジ部上面部１１ａ下側から第１、第２の収納部ＡL 、ＡR の底部１４L 、１４R の頂下部までを覆う略垂直方向又は傾斜方向に立設するフランジ部側面部１１ｂとにより構成される。
【００２５】
このように、それぞれ前記第１、第２の収納部ＡL 、ＡR は、連結フランジ部１１の上面に突出して設けた前記筒状の開口壁部１３L 、１３R と、その開口壁部の下側にその内周面を連続させて（又はその開口壁部の下側の連結フランジ部１１にその開口壁部の内周面を連続させて貫設した筒状の貫設部を介して）設けた凹状に湾曲する底部１４L 、１４R とにより構成され、該第１、第２の収納部ＡL 、ＡR は、前記開口壁部１３L 、１３R の開口部１３Lb、１３Rbと、底部１４L 、１４R の凹状の内低面１４La、１４Raとにより物品を収納するための第１の収納空間部１５L と第２の収納空間部１５R が形成されている。
【００２６】
なお、本発明の物品収納容器においては、前記物品収納容器本体Ａの第１の収納部ＡL と第２の収納部ＡR のそれぞれ底部１４L 、１４R の内底面１４La、１４Raには、必要に応じて（例えば、収納する物品（例えばコンタクトレンズ）と収納部内面との非接触（非密着）面積の極小化、収納する物品（例えばコンタクトレンズ）の全体（両面）に内部充填液を行き渡らせるための機能の保持や、収納する物品の形状、材質、物品の収納補強や安定性、物品精密度等に応じて）複数本の細いリブ１７が立設されている。
【００２７】
次に、上記物品収納容器本体Ａの第１、第２の収納部ＡL 、ＡR を施蓋し封鎖する蓋体Ｂについて以下に詳細に説明すれば、図３（ａ）は蓋体Ｂの上面図、図３（ｂ）はその正面図、図３（ｃ）はその右側面図、図３（ｄ）は図３（ａ）のＸ−Ｘ正面断面図、図３（ｅ）は図３（ｂ）のＹ−Ｙ側断面図である。
【００２８】
図３（ａ）、（ｂ）、（ｃ）に示すように、蓋体Ｂは、第１の収納部ＡL を施蓋する第１の蓋部ＢL と、第２の収納部ＡR を施蓋する第２の蓋部ＢR と、該第１、第２の蓋部ＢL 、ＢR をそれぞれヒンジ部２１ａ、２１ａ（補強肉薄線部）にて開閉可能（開口部の水平面に対して例えば７０°〜９０°に開閉可能）に連結する連結ヒンジ板２１から構成され、該第１、第２の蓋部ＢL 、ＢR は、それぞれ天板部２３と該天板部２３の外周下部に沿って設けられたリング状の側板部２４とから構成される。また、図３（ａ）に示すように、蓋体Ｂの第１の収納部ＡL を施蓋する第１の蓋部ＢL と第２の収納部ＡR を施蓋する第２の蓋部ＢR には、その天板部２３などに、収納包装するそれぞれ左右一対の物品が、本発明の物品収納容器の使用者（ユーザー）に対して右側と左側のいずれに対応する物品であるかを識別できるように、左側を表示する（Ｌ）、右側を表示する（Ｒ）の文字、記号が表示されている。
【００２９】
連結ヒンジ板２１の下面には、容器本体Ａの連結フランジ部１１上面に設けた前記蓋体係合部１２に対応する位置の一個所又は二個所など数個所に、例えば差し込み係合方式（三次元係合方式）の係合板などの係合部２２（係合板先端に係止突起２２ａ）、又は二次元（面）係合方式のメンブレンファスナーシートなどの係合部２２が設けられている。
【００３０】
なお、連結ヒンジ板２１を挟んで対向する第１、第２の蓋部ＢL 、ＢR のそれぞれ側板部２４の互いに外側に対向する位置の該側板部２４下側には、必要に応じて、開蓋用の把手板（若しくは施蓋位置決め板を兼用）２５、２５を延設して、該蓋体Ｂを施蓋した際に施蓋位置決め板２５を、容器本体Ａの各々第１、第２の収納部ＡL 、ＡR に設けた前記フランジ切欠部１１Lc、１１Rc内に常に蜜に嵌合させて、蓋体Ｂの施蓋位置を一定位置に整合させるようにしてもよい。
【００３１】
このように前記蓋体Ｂの把手板２５は、容器本体Ａのフランジ切欠部１１Lc、１１Rc内に嵌合収容されて、蓋体Ｂの把手板（若しくは施蓋位置決め板を兼用）２５、２５は、容器本体Ａの連結フランジ部１１（側面部）に保護されるため、ポケットやバッグなどに携帯しても、簡単に蓋が開放されるようなことがない。
【００３２】
また必要に応じて、図３（ｄ）、（ｅ）に示すように第１、第２の蓋部ＢL 、ＢR のそれぞれ天板部２３の下面には、前記側板部２４の内周面に対向するインナーリング部２６が下向きに立設され、それぞれ該側板部２４の内周面には、内側方向に突出する嵌合突起部２４ａが設けられている。なお、前記インナーリング部２６は、その立設高さが、側板部２４より低位又は高位である。またインナーリング部２６の全環が水平な同一高さであってもよいし、図３（ｂ）〜（ｅ）に示すように、連結ヒンジ板２１のヒンジ部２１ａに近接する方向に徐々に頂部２６ａの高さまで高くなるように傾斜していてもよい。
【００３３】
次に、上記物品収納容器本体Ａに蓋体Ｂを取付固定する方法について説明すれば、図４（ａ）は、本発明の物品収納容器の容器本体Ａに蓋体Ｂを係合した状態、及び施蓋の開閉状態を説明する正面断面図、（ｂ）はそのＹ−Ｙ側断面図である。
【００３４】
まず、図１に示す容器本体Ａの蓋体係合部１２（孔設部）に図２に示す蓋体Ｂの連結ヒンジ板２１の係合部２２（係合板）を近接させて、容器本体Ａの蓋体係合部１２（孔設部）内に、蓋体Ｂの連結ヒンジ板２１の係合部２２を差し込み、係止突起２２ａを、容器本体Ａの蓋体係合部１２の孔設部内奥部にある係止孔に嵌合係止して、図４（ａ）に示すように物品収納容器本体Ａに蓋体Ｂを取り付け固定する。
【００３５】
次に、上記物品収納容器本体Ａの第１、第２の収納部ＡL 、ＡR に、蓋体Ｂの第１、第２の蓋部ＢL 、ＢR を施蓋する方法について、図４（ａ）、（ｂ）に基づいて、以下に説明すれば、容器本体Ａに取付固定された前記蓋体Ｂの第１、第２の蓋部ＢL 、ＢR は、それぞれヒンジ部２１ａ、２１ａを介して容器本体Ａ上にて回動（開閉）可能になる。
【００３６】
蓋体Ｂの第１、第２の蓋部ＢL 、ＢR をそれぞれ閉方向に回動して、容器本体Ａの第１、第２の収納部ＡL 、ＡR のそれぞれ開口部１３Lb、１３Rbに被せると、それぞれ開口壁部１３L 、１３R の上端部は、該蓋部ＢL 、ＢR の側板部２４とインナーリング部２６との間に嵌合し、開口部１３Lb、１３Rbの外周にある係合突起部１３La、１３Raと、第１、第２の蓋部ＢL 、ＢR の側板部２４の内周面にある係合突起部２４ａ、２４ａが係合してロックされる。
【００３７】
これにより容器本体Ａの第１、第２の収納部ＡL 、ＡR の開口部１３Lb、１３Rbは、その開口部外周側から外側係合により、蓋体Ｂの第１、第２の蓋部ＢL 、ＢR により施蓋される。図５（ａ）は、蓋体Ｂにて施蓋された状態の容器本体Ａの上面図であり、（ｂ）はその正面図であり、（ｃ）はその右側面図である。
【００３８】
なお、上記の容器本体Ａの第１、第２の収納部ＡL 、ＡR の開口部１３Lb、１３Rbの上端は、開口壁部１３L 、１３R が連結フランジ部１１の上面より突出して設けられているために、連結フランジ部１１上面より高位にあるが、本発明においては、前記開口壁部１３L 、１３R を省略することにより、容器本体Ａのそれぞれ第１、第２の収納部ＡL 、ＡR の開口部１３Lb、１３Rbの上端を連結フランジ部１１上面と略同一高さとすることができる。
【００３９】
容器本体Ａの第１、第２の収納部ＡL 、ＡR の前記開口壁部１３L 、１３R を省略して第１、第２の収納部ＡL 、ＡR の開口部１３Lb、１３Rbの上端を、連結フランジ部１１上
面と略同一高さとした場合は、容器本体Ａの第１、第２の収納部ＡL 、ＡR の開口部１３Lb、１３Rbが、その開口部内周側から内側係合により、蓋体Ｂの第１、第２の蓋部ＢL 、ＢR により施蓋されるような施蓋構造としてもよい。
【００４０】
開口部内周側からの内側係合の場合は、前記蓋体Ｂの第１、第２の蓋部ＢL 、ＢR の側板部２４を省略した構造とすることにより、前記蓋体Ｂの第１、第２の蓋部ＢL 、ＢR の前記インナーリング部２６が、第１、第２の収納部ＡL 、ＡR の開口部１３Lb、１３Rbの内周面に蜜に嵌合して、容器本体Ａの第１、第２の収納部ＡL 、ＡR の開口部１３Lb、１３Rbが、その開口部内周側から内側係合により、蓋体Ｂの第１、第２の蓋部ＢL 、ＢR の前記インナーリング部２６により施蓋されるものである。
【００４１】
本発明の物品収納容器本体Ａと蓋体Ｂは、ポリエチレン、ポリプロピレン等のポリオレフィン樹脂、ＡＢＳ樹脂などを用いてプラスチック成形により製造でき、特に、蓋体Ｂはヒンジ部２１ａの必要な特性（耐久性、白化防止など）を持たせるため、テンダムコポリマーのポリプロピレンが好ましい。また、蓋体Ｂのインナーリング部２６部分に柔軟性が必要な場合には、剛性の低いポリプロピレンが好ましい。また、成形に使用する樹脂の剛性は、特に、本発明では限定されるものではないが、曲げ弾性率で４００〜１０００ＭＰａの範囲であることが望ましい。また、直鎖型低密度ポリエチレンや、一般的な低密度ポリエチレンを使用する場合には、曲げ弾性率で５０〜１５０ＭＰａのものも利用可能である。
【００４２】
また、成形に使用する樹脂は、医療や医薬に関連する物品を収納包装する場合には、医療品として合格可能なグレードであることが望ましく、例えば、０．９％の塩水に耐える樹脂であって医薬品容器として合格可能なグレードが望ましい。
【図面の簡単な説明】
【００４３】
【図１】（ａ）は本発明の物品収納容器の容器本体Ａの上面図、（ｂ）はその正面図、（ｃ）はその右側面図。
【図２】（ａ）は本発明の物品収納容器の容器本体ＡのＸ−Ｘ正面断面図、（ｂ）はそのＸ1 −Ｘ1 底面図、（ｃ）はそのＹ−Ｙ側断面図、（ｄ）はそのＹ1 −Ｙ1 側断面図。
【図３】（ａ）は本発明の物品収納容器の蓋体Ｂの上面図、（ｂ）はその正面図、（ｃ）はその右側面図、（ｄ）はそのＸ−Ｘ正面断面図、（ｅ）はそのＹ−Ｙ側断面図。
【図４】（ａ）は本発明の物品収納容器の容器本体Ａに蓋体Ｂを取付けた状態を示すＸ−Ｘ正面断面図、（ｂ）はそのＹ−Ｙ側断面図。
【図５】（ａ）は本発明の物品収納容器の容器本体Ａに蓋体Ｂを取付けた状態を示す上面図、（ｂ）はその正面図、（ｃ）はその右側面図。
【図６】（ａ）は従来の物品収納容器の容器本体の正面部分断面図、（ｂ）はその物品収納容器の蓋体の側断面図、（ｃ）はその物品収納容器の全体正面図。
【符号の説明】
【００４４】
Ａ…物品収納容器本体
ＡL …第１の収納部
ＡR …第２の収納部
Ｂ…蓋体
ＢL …第１の蓋部
ＢR …第２の蓋部
１１…連結フランジ部
１１ａ…フランジ部上面部
１１ｂ…フランジ部側面部
１２…蓋体係合部
１３L 、１３R …開口壁部
１３La、１３Ra…係合部
１３Lc、１３Rc…フランジ切欠部
１４L 、１４R …底部
１４La、１４Ra４…底部の内底面
１５L …第１の収納空間部
１５R …第２の収納空間部
１７…リブ
２１…連結ヒンジ板
２１ａ…ヒンジ部
２２…係合部
２３…天板部
２４…側板部
２４La、２４Ra…係合部
２５…把手板（施蓋位置決め板）
２６…インナーリング部
【図１】
2010023850.tif 000003
【図２】
2010023850.tif 000004
【図３】
2010023850.tif 000005
【図４】
2010023850.tif 000006
【図５】
2010023850.tif 000007
【図６】
2010023850.tif 000008